(57)【要約】【課題】部品数が少なくて済み、組み立てやすく、フレーム部材間の接合部分に隙間ができにくく、組み立てた状態での外観にも優れたフレーム部材接合装置を提供する。【解決手段】２つのフレーム部材１１０ａ，１１０ｄを接合するフレーム部材接合装置であって、接合部材としてのコーナー部材１２０ａは、フレーム部材１１０ａ，１１０ｄ間に挟まる形態で位置決めされるコーナー部材本体部１２１，１２２と、このコーナー部材本体部の両側に一体に設けられた一対の嵌合突部（１２３，１２４），（１２５，１２６）とで構成され、この一対の嵌合突部を２つのフレーム部材１１０ａ，１１０ｄの内面側にそれぞれ設けた被嵌合部に嵌入することによって、２つのフレーム部材間をコーナー部材本体部１２１，１２２を露出介在して接合させ、さらにその接合状態で、斜面部１２７，１２８，１３１，１３２とねじ１１４，１１５，１４４，１４５とを用いた引き込み手段にて、２つのフレーム部材とコーナー部材本体部１２１，１２２との間の隙間を無くすように前記コーナー部材本体部に対して２つのフレーム部材１１０ａ，１１０ｄを引き込んで接合固定する。【選択図】    図１
2005017397.tif 000002
【特許請求の範囲】
【請求項１】
第１のフレーム部材と第２のフレーム部材を接合するフレーム部材接合装置であって、
第１，第２のフレーム部材間の接合部分に挟まる形態で位置決めされる接合部材本体部と、該接合部材本体部の両側に一体に設けられ、前記第１，第２のフレーム部材の内面側にそれぞれ設けた第１，第２の被嵌合部に嵌入することによって、前記第１，第２のフレーム部材間を前記接合部材本体部を介在して接合させる一対の嵌合突部とを備えた接合部材と、
前記第１，第２のフレーム部材を前記接合部材本体部を介在して接合した状態で、前記第１，第２のフレーム部材と前記接合部材本体部との間の隙間を無くすように前記接合部材本体部に対して前記第１，第２のフレーム部材を引き込む手段と、
を具備したことを特徴とするフレーム部材接合装置。
【請求項２】
複数のフレーム部材を接合することによって枠体を構成する際に、フレーム部材同士を或る角度を保って接合固定するフレーム部材接合装置であって、
複数のフレーム部材のうちの隣接する第１，第２のフレーム部材についてこれらフレーム部材間の接合部分に挟まる形態で位置決めされる接合部材本体部と、該接合部材本体部の両側に一体に設けられ、前記第１，第２のフレーム部材の内面側にそれぞれ設けた第１，第２の被嵌合部に嵌入することによって、前記第１，第２のフレーム部材間を前記接合部材本体部を介在して接合させる一対の嵌合突部とを備えた接合部材と、
前記第１，第２のフレーム部材を前記接合部材本体部を介在して接合した状態で、前記第１，第２のフレーム部材と前記接合部材本体部との間の隙間を無くすように前記接合部材本体部に対して前記第１，第２のフレーム部材を引き込む手段と、
を具備したことを特徴とするフレーム部材接合装置。
【請求項３】
前記接合部材本体部は、その外面が前記第１，第２のフレーム部材の外面と面一となるようにして位置決めされることを特徴とする請求項１又は２記載のフレーム部材接合装置。
【請求項４】
前記引き込む手段は、前記一対の嵌合突部の内面に設けた斜面部と、締結用のピン又はねじとで構成され、前記第１，第２のフレーム部材内面側の第１，第２の被嵌合部に対して、前記接合部材の前記一対の嵌合突部を嵌入した状態で、前記締結用のピン又はねじが前記第１，第２の被嵌合部をフレーム部材内面側より貫通し且つその貫通状態で前記斜面部に前記締結用のピン又はねじの側面が当接することによって前記接合部材本体部に対して前記第１，第２のフレーム部材を引き込むことを特徴とする請求項１乃至３のいずれか１つに記載のフレーム部材接合装置。
【発明の詳細な説明】
【０００１】
【発明の属する技術分野】
本発明は、フレーム部材同士を互いに接合して固定するフレーム部材接合装置に関する。
【０００２】
【従来の技術】
従来、プロジェクションタイプの大型のテレビジョン受信装置には、投射される映像を映し出すためのスクリーンが四角形状のフレーム部材に取り付けられ、さらに受信装置の筐体や専用の支持台などに配置される。スクリーンには、フレネルレンズやレンチキュラーレンズなどのプラスチックレンズが用いられている。
【０００３】
一方、液晶ディスプレイやプラズマディスプレイなどを用いた平面タイプのテレビジョン受信装置も開発され、普及しつつある。このような液晶ディスプレイやプラズマディスプレイなどの平面ディスプレイも、通常は、四角形状のフレーム部材に取り付けられ、さらに受信装置の筐体や専用の支持台などに配置される。
【０００４】
また、特開２００１−６９４３０号公報には、受像管を用いたテレビジョン受像機において、受像管及びフロントパネルを、四角形状のフレーム部材と受像管ブラケットによる構成体に取付け固定する技術が記載されている。
【０００５】
【特許文献１】
特開２００１−６９４３０号公報（第３−４頁、図１，２）
【０００６】
【発明が解決しようとする課題】
しかしながら、特許文献１では、４個のフレーム部材を連結するのに用いる受像管ブラケットは、フレーム部材の内側に係合される構造であるため（段落［００４７］参照）第１，第２のフレーム部材を接合した際、接合部分に隙間ができやすい問題がある。また、４個のフレーム部材を連結する４個の受像管ブラケットは、対角に対応するもの同士が同一形状となるが、隣接するもの同士は異なった形状となり、２種類の形状の受像管ブラケットが必要となり、製造時の組立て性やコスト面でデメリットがある。
【０００７】
そこで、本発明は、上記の問題に鑑みてなされたもので、部品数が少なくて済み、組み立てやすく、フレーム部材間の接合部分に隙間ができにくく、組み立てた状態での外観にも優れたフレーム部材接合装置を提供することを目的とするものである。
【０００８】
【課題を解決するための手段】
本発明によるフレーム部材接合装置は、第１のフレーム部材と第２のフレーム部材を接合するフレーム部材接合装置であって、
第１，第２のフレーム部材間の接合部分に挟まる形態で位置決めされる接合部材本体部と、該接合部材本体部の両側に一体に設けられ、前記第１，第２のフレーム部材の内面側にそれぞれ設けた第１，第２の被嵌合部に嵌入することによって、前記第１，第２のフレーム部材間を前記接合部材本体部を介在して接合させる一対の嵌合突部とを備えた接合部材と、
前記第１，第２のフレーム部材を前記接合部材本体部を介在して接合した状態で、前記第１，第２のフレーム部材と前記接合部材本体部との間の隙間を無くすように前記接合部材本体部に対して前記第１，第２のフレーム部材を引き込む手段と、を具備したことを特徴とする。
【０００９】
このような構成によれば、部品数が少なくて済み、組み立てやすく、フレーム部材間の接合部分に隙間ができにくく、組み立てた状態での外観にも優れたフレーム部材接合装置を実現できる。
【００１０】
本発明によるフレーム部材接合装置は、複数のフレーム部材を接合することによって枠体を構成する際に、フレーム部材同士を或る角度を保って接合固定するフレーム部材接合装置であって、
複数のフレーム部材のうちの隣接する第１，第２のフレーム部材についてフレーム部材間の接合部分に挟まる形態で位置決めされる接合部材本体部と、該接合部材本体部の両側に一体に設けられ、前記第１，第２のフレーム部材の内面側にそれぞれ設けた第１，第２の被嵌合部を嵌入することによって、前記第１，第２のフレーム部材間を前記接合部材本体部を介在して接合させる一対の嵌合突部とを備えた接合部材と、
前記第１，第２のフレーム部材を前記接合部材本体部を介在して接合した状態で、前記第１，第２のフレーム部材と前記接合部材本体部との間の隙間を無くすように前記接合部材本体部に対して前記第１，第２のフレーム部材を引き込む手段と、を具備したことを特徴とする。
【００１１】
このような構成によれば、部品数が少なくて済み、組み立てやすく、フレーム部材間の接合部分に隙間ができにくく、組み立てた状態での外観にも優れた、コーナー部に用いて有用なフレーム部材接合装置を実現できる。
【００１２】
前記接合部材本体部は、その外面が前記第１，第２のフレーム部材の外面と面一となるようにして位置決めされることが望ましい。
【００１３】
前記引き込む手段は、前記一対の嵌合突部の内面に設けた斜面部と、締結用のピン又はねじとで構成され、前記第１，第２のフレーム部材内面側の第１，第２の被嵌合部に対して、前記接合部材の前記一対の嵌合突部を嵌入した状態で、前記締結用のピン又はねじが前記第１，第２の被嵌合部をフレーム部材内面側より貫通し且つその貫通状態で前記斜面部に前記締結用のピン又はねじの側面が当接することによって前記接合部材本体部に対して前記第１，第２のフレーム部材を引き込む構成とすることが好ましい。
【００１４】
【発明の実施の形態】
発明の実施の形態について図面を参照して説明する。
図１は本発明の一実施の形態の、フレーム部材接合装置を用いたフレーム部材組立て構造を示す分解斜視図を示し、図２及び図３にその要部となる接合部材の構成を示している。また、図４は組立て前の接合部材とフレーム部材を示す斜視図、図５は図４の状態から組み立てた状態での表面側から見た斜視図である。但し、図５で、図示上方がフロント側（スクリーン側）で、図示手前側が枠体の側面側に相当している。
【００１５】
図１において、フレーム部材組立て構造１００は、例えばアルミニウムやプラスチックなどの押し出し材からなる、長短各２本のフレーム部材１１０ａ，１１０ｂ，１１０ｃ，１１０ｄと、適宜の合成樹脂にて成形されて、前記４本のフレーム部材１１０ａ〜１１０ｄの各端部（４隅）を接合して例えば四角形の枠体に形成する、４個の接合部材として機能する４つのコーナー部材１２０ａ，１２０ｂ，１２０ｃ，１２０ｄと、プラスチックレンズ等で形成されるスクリーン１５０と、このスクリーン１５０を、枠体状に組み立てたフレーム部材１１０ａ〜１１０ｄに固定する図示しないスクリーン留め具とを備える。
【００１６】
上記の４個のコーナー部材１２０ａ〜１２０ｄはいずれも同一の形状を有しているので、以下の説明では、１つのコーナー部材１２０ａについて説明する。    図２，図３はそれぞれコーナー部材１２０ａの表面側，裏面側から見た斜視図を示している。
【００１７】
図２に示すように、コーナー部材１２０ａは、図示しない２つのフレーム部材間の接合部分に挟まる形態で表面が露出して位置決めされる接合部材本体部としてのコーナー部材本体部１２１，１２２と、該コーナー部材本体部１２１，１２２の両側に本部と一体に設けられた一対の嵌合突部であって、図示しない２つのフレーム部材の内面側にそれぞれ設けた第１，第２の被嵌合部（図４にて述べる）に嵌入することによって、図示しない２つのフレーム部材をコーナー部材本体部１２１，１２２を介在して接合させる一対の嵌合突部（１２３，１２４），（１２５，１２６）とを備えて構成されている。
【００１８】
コーナー部材本体部１２１，１２２は４本のフレーム部材で形成される枠体の四角形状に合うように互いに９０度の角度を保ってくの字上に形成されていている。このコーナー部材本体部１２１，１２２の外面は、コーナー部材本体部１２１，１２２に連接して設けられた一対の嵌合突部（１２３，１２４），（１２５，１２６）の外面に対して段差Ａ（図２〜４参照）だけ高くなるように形成されている。
【００１９】
一対の嵌合突部（１２３，１２４），（１２５，１２６）は、コーナー部材本体部１２１，１２２を中心にして左右対称に同一の形状に形成されている。嵌合突部（１２３，１２４），（１２５，１２６）の各対は互いに或る所定の角度（ここでは９０度）を保ってコーナー部材本体部１２１に一体に設けられている。
【００２０】
なお、コーナー部材本体部１２１，１２２の外表面（体裁面）  はコーナー部に露出される構成となっているので、高級感を高めるため、スリット１２９，１３０をライン状に形成した「ヘアライン」処理を施してある（以下、ヘアライン１２９，１３０と呼ぶ）。
【００２１】
また、一対の嵌合突部（１２３，１２４），（１２５，１２６）の外面（嵌合面）には、フレーム部材の被嵌合部（図４で述べる）  との嵌合時の嵌合性（結合性）を高めるために略円形状で高さの低い突部１３４が複数形成してある。
【００２２】
さらに、図２において、コーナー部材本体部１２１，１２２とこれらに連接する一対の嵌合突部（１２３，１２４），（１２５，１２６）との連接部分には細い溝１３５，１３６が設けられている。なお、コーナー部材本体部１２１と嵌合突部１２３，１２５との連接部分にも前記細い溝１３５，１３６に連接する細い溝が形成されているが、図２ではコーナー部材本体部１２１の陰に隠れて見えない状態にある。この細い溝は、幅１ｍｍ程度であり、図４の状態から図５のように組み立てた（接合した）ときに接合部分に僅かな隙間が生じても細溝の存在により接合部分の下地が見えないためその部分が黒い線状に見え、高級感を損なわない利点を出すために設けられている。
【００２３】
また、一対の嵌合突部（１２３，１２４），（１２５，１２６）の、例えば嵌合突部１２３，１２４には、嵌合突部１２３，１２４それぞれがスリット１３７，１３８を挟んで２つに分割された形状となっている。これは、図４に示すように接合時に補強用の支持枠１１８を逃げるために設けられたもので、特別な機能はない。嵌合突部１２５，１２６それぞれに設けられたスリット１３９，１４０についても同様である。
【００２４】
次に図３にてコーナー部材１２０ａの裏面側の構造について説明する。図３に示すように、一対の嵌合突部（１２３，１２４），（１２５，１２６）には、切欠きによる斜面部１２７，１２８を形成する一方、三角柱形状による斜面部１３１，１３２を形成している。これらの斜面部１２７，１２８，１３１，１３２は、コーナー部材１２０ａの中心部であるコーナー部材本体部１２１，１２２に向かってねじ（図４で述べる）又はピンが滑るように傾斜している。
【００２５】
斜面部１２７，１２８，１３１，１３２は、フレーム部材同士をコーナー部材本体部を介在して（挟んで）接合する際に、より具体的には、図４に示すようにフレーム部材１１０ａの嵌合突部１２３，１２４，１２３をそれぞれコーナー部材１２０ａに設けた被嵌合部１１１，１１２，１１３に嵌入した状態で被嵌合部１１１，１１３に対してフレーム部材内面側よりねじ１１４，１１５をねじ孔１１１ａ，１１３ａを通して貫通させ且つその貫通状態で前記斜面部１２７，１３１にそれぞれねじ１１４，１１５の側面を当接させることによって、コーナー部材本体部１２１，１２２に対してフレーム部材１１０ａを中心部側へ引き込む機能を有するものである。これによって、フレーム部材１１０ａの端面１１１ｂ，１１３ｂのうち端面１１３ｂは前述のコーナー部材１２０ａの段差部（段差Ａと記した部分）に当接して、フレーム部材１１０ａとコーナー部材本体部１２１，１２２との間の隙間を無くし、図５に示すよう接合時の両者の密着性を高め、外観を良好にすることができる。なお、ねじ１１４，１１５に代えてねじを切っていない円柱状のピンを用いてもよい。
【００２６】
なお、フレーム部材１１０ａの端面１１３ｂは内壁１１７の面に対して４５度の傾斜角度を有している。
次に、図１に示したフレーム部材１１０ａ〜１１０ｄについても、各フレーム部材の接合端部の形状はいずれも同一であるので、フレーム部材１１０ａを例にその構造を説明する。
【００２７】
図４に示すように、フレーム部材１１０ａは、幅方向の外壁１１６と高さ方向の側壁１４１，１４２とにより、断面がほぼ「コ」字状に形成されて、所定サイズのスクリーン（図示せず）を支持できるようにされると共に、幅方向の内壁１１７と外壁１１６との間に、補強用の支持枠１１８が一体に形成され、側壁１４１，１４２の内側には、係合用の溝を備えた被嵌合部１１１，１１２がそれぞれ形成されている。また、支持枠１１８の内面は被嵌合部１１３として機能する。
【００２８】
さらに、コーナー部材本体部１２１，１２２のうち、コーナー部材本体部１２２の内面側コーナー部に相当する端部には、円弧状に湾曲した部分１３２（図４の裏面側から見た図参照）  が構成されているが、その側面の厚みＢはフレーム部材１１０ａの高さの方向の側壁１４２の厚みと同等となるように形成してある。これにより、コーナー部材１２０ａとフレーム部材１１０ａとの接合状態では、図６に示すように円弧状に湾曲した部分１３２とフレーム部材１１０ａの側壁１４２の厚みとが一致し面一な状態となる。その結果、図１の状態から四角形状の枠体を組み立てて、さらにスクリーン１５０を取り付けたときに、スクリーン１５０とフレーム部材１１０ａの側壁１４２の内面との間に隙間ができず、従って陰の部分ではあるがスクリーン１５０とフレーム部材１１０ａの境界部分を近くから覗き込んだ場合であっても、接合部分に段差がなく、高級感が得られるというメリットがある。
【００２９】
さらに、フレーム部材１１０ａの補強用の支持枠１１８には、スクリーン１５０を締結するための留め具（図示せず）を取り付けるねじ孔１４３が複数設けられている。
【００３０】
また、図５に示すフレーム部材１１０ａの外表面に施されたスリット１４８，１４９は、コーナー部材本体部１２１に施されたヘアライン１２９，１３０に連接し、同様に「ヘアライン」処理されたもので、体裁面として高級感を高める構成となっている。さらに、コーナー部材本体部１２１，１２２は、その外面が接合されるフレーム部材１１０ａの外面と面一となるようにして位置決め（接合）される。これにより、外観が良好となる。
【００３１】
次に、以上述べた本発明の実施の形態の接合装置について、図４〜図７を参照してその作用・効果について説明する。
【００３２】
図４の組立て前の状態から、一点鎖線にて示す対応関係に沿って、コーナー部材１２０ａの嵌合突部１２３，１２４をフレーム部材１１０ａの被嵌合部１１１，１１２，１１３に嵌合装着した後、締結用のねじ１１４，１１５をねじ孔１１１ａ，１１３ａに螺入すと、ねじ１１４，１１５の先端部分はそれぞれ側壁１４１，補強用支持枠１１８を貫通し、各ねじの側面が斜面部１２７，１３１に接触することで、フレーム部材１１０ａはコーナー部材１２０ａのコーナー部材本体部１２１の方向に引き込まれることになる。これによって、組立て時のフレーム部材１１０ａとコーナー部材１２０ａ間の隙間を無くすことができると共に、組み立てられるフレーム部材１１０ａの端部（接合部）に製造誤差（例えば接合角度などの誤差）があってもこれを吸収して隙間なく接合可能である。
しかも、接合部材としてのコーナー部材と締結用のねじ又はピンだけで接合組立てが完了するので、部品数が少なくて済むと共に、組立てが簡単である。
【００３３】
さらに、コーナー部材とフレーム部材との組み立てた状態で、面一にでき、外観（外側表面）を綺麗に仕上げることが可能である。
【００３４】
さらに、コーナー部材本体部１２１，１２２に連接して設けられた一対の嵌合突部（１２３，１２４），（１２５，１２６）間の角度は９０度に限らず、種々の多角形のコーナー部に使用することができ、更にコーナー部に限らず前記角度が１８０度即ち直線的に接続して使用する構成も可能であり、応用範囲が極めて広い。
【００３５】
図６はコーナー部材１２０ａ両側の嵌合突部に対してフレーム部材１１０ａ，１１０ｄを嵌合して、フレーム部材１１０ａと１１０ｄをコーナー部材１２０ａを挟んで結合した状態を、裏面側から見た図である。また、図７は、ねじ固定状態でのねじ１１４，１１５，１４４，１４５と、コーナー部材１２０ａの斜面部との当接状態を示すために、図６からフレーム部材１１０ａ，１１０ｄを取り除いた時の図である。
【００３６】
なお、図６には、フレーム部材を接合した枠体の内面に取り付けられるスクリーン１５０が２点鎖線で示されている。スクリーン１５０は、フレーム部材１１０ａ，１１０ｄ，…の補強用の支持枠１１８，１４７…に設けられたねじ孔１４３，１４６，…にスクリーン用留め具（図示せず）を固定することによって取り付けられるようになっている。スクリーン１５０の厚みは、例えば、３枚構成の場合は５〜６ｍｍ程度、２枚構成の場合は４．５ｍｍ程度であるが、スクリーンサイズが大きくなるにつれ、厚みが増加する傾向にある。
【００３７】
尚、以上述べた実施の形態では、４つの接合部材を用いて４つのフレーム部材同士を９０度の角度で接合し、四角形の枠体を形成する場合について説明したが、本発明はこれに限定されず、６個のフレーム部材同士を互いに１２０度で接合し、全体として六角形の枠体を形成したり、直線状（即ち、フレーム部材同士が１８０度で接合する場合）、或いは円形を含む曲線状に接合する接合部材にも適用可能である。
【００３８】
また、本発明のフレーム部材接合装置は、プロジェクションタイプのテレビジョン装置のスクリーンを取付け固定する構造に限らず、平面タイプのテレビジョン装置に用いられる液晶ディスプレイやプラズマディスプレイのような平面ディスプレイの枠体形成に使用することもできる。さらに、教育用や会議用などに用いられる白板装置の白板の枠体形成に使用することもできる。
【００３９】
【発明の効果】
以上述べたように本発明によれば、部品数が少なくて済み、組み立てやすく、しかもフレーム部材間の接合部分に隙間ができにくく、組み立てた状態での外観にも優れたフレーム部材接合装置を実現することが可能となる。
【図面の簡単な説明】
【図１】本発明の一実施の形態の、フレーム部材接合装置を用いたフレーム部材組立て構造を示す分解斜視図。
【図２】フレーム部材接合装置の要部となるコーナー部材の構成（表面側）を示す斜視図。
【図３】フレーム部材接合装置の要部となるコーナー部材の構成（表面側）を示す斜視図。
【図４】組立て前の接合部材とフレーム部材を示す斜視図。
【図５】図４の状態から組み立てた状態での表面側から見た斜視図。
【図６】コーナー部材両側の嵌合突部に対して２つのフレーム部材を嵌合して、その２つのフレーム部材を接合部材を挟んで結合した状態を、裏面側から見た斜視図。
【図７】ねじと、コーナー部材の斜面部との当接状態を示すために、図６からフレーム部材を取り除いた時の斜視図。
【符号の説明】
１００…フレーム部材接合装置
１１０ａ，１１０ｂ，１１０ｃ，１１０ｄ…フレーム部材
１１１，１１２，１１３…被嵌合部
１１４，１１５，１４４，１４５…ねじ（締結用兼引き込み用）
１２０ａ〜１２０ｄ…コーナー部材（接合部材）
１２１及び１２２…コーナー部材本体部（接合部材本体部）
１２３，１２４，１２５，１２６…嵌合突部
１２７，１２８，１３１，１３２…斜面部（引き込み手段）
１５０…スクリーン
【図１】
2005017397.tif 000003
【図２】
2005017397.tif 000004
【図３】
2005017397.tif 000005
【図４】
2005017397.tif 000006
【図５】
2005017397.tif 000007
【図６】
2005017397.tif 000008
【図７】
2005017397.tif 000009